(57)【特許請求の範囲】
【請求項１】
基板上に形成され、発光ダイオードが縦横にそれぞれ複数列、複数行となるように配列された円形のライトから構成され、前記円形の部分のそれぞれの発光ダイオードは青色、黄色、赤色の光源素子を内蔵して青色、黄色、赤色に発光する発光ダイオードから構成され、
前記基板上において前記ライトを構成する円形の部分から下方に末端部が突出し、前記円形の部分から左方、右方又は上方に先端部が突出し、中間部分が前記円形のライトと共通になって矢印が構成され、前記円形の部分の外側に突出する前記矢印の末端部と先端部とが少なくとも青色の光源素子を内蔵する発光ダイオードから構成され、
前記矢印を点灯させないときは、前記円形の部分が制御手段の制御に応じて青色、黄色、又は赤色に発光し、
前記矢印を点灯させるときは、前記円形の部分から突出する前記矢印の末端部と先端部とが制御手段の制御に応じて青色に発光すると共に、前記円形のライトと共通になっている前記矢印の中間部分が制御手段の制御に応じて青色に発光し、しかも前記円形のライトの前記矢印の中間部分と共通になっている部分を除いた他の領域が制御手段の制御に応じて赤色に発光する交通信号機。
【発明の詳細な説明】
【技術分野】
【０００１】  本発明は、ＬＥＤ一個の内蔵に青：黄：赤の各素子をいれたＬＥＤを複数個活用して、一個のライトを表示体（一単位）となし、そのライトを交通信号機に活用し、青：黄：赤と三つあったライトにおいて円内が赤になったとき、青の方向矢印を含めることで、一個のライトで交通制御機能を果たす単ライト方向矢印入り交通信号機に関する。
【背景技術】
【０００２】  一般に、交通信号機には、進行、徐行、停止などお指示するように青光色：黄光色：赤光色それぞれを各別に点灯する三個のライトが設けられ、又、他に青光色で点灯する方向矢印を表示するライトも付いているなど複数のライトによって構成れていた、このような交通信号機のライトとしてＬＥＤを使用している場合でも一個のライトで一色光を点灯するというようにライト自体のＬＥＤは単光源単光色であり、したがって、青光：黄光：赤光を点灯する場合、三個のライトを必要とした、又、その下に、複数の方向矢印のライトが付いていた。
【発明の開示】
【発明が解決しようとする課題】
【０００３】このように従来の交通信号機では、青光ライト：黄光ライト：赤光ライト：青方向矢印などをそれぞれ各別に表示する複数のライトが設けられているために信号機自体の重量が重くなっていた、又、これらのいずれのライトが点灯しているか、しかも一定の進行方向のみを許可するときに、複数個のライトが点灯している場合の許可された進行方向などを、瞬時に判断しずらいこともあり、更には太陽光線に反射して識別しずらいこともあった。
【課題を解決するための手段】
【０００４】  そこで本発明は、課題を解消すべく研究を重ねた結果創案されたもので、ＬＥＤ発光体一個に青色：黄色：赤の三つの光源（素子）を内蔵した構造のＬＥＤ発光体を複数個使って一個のライトの表示体（一単位）とした交通信号機のライトにおいて、そのライトをリレータイマの作動で青−黄−赤の色の順に連続して発光するようにした、そのライトの円内が赤の表示になつたとき、時間差をもうけて青の方向矢印を表示できるようにする、この方向矢印はライトの円内の一部分を共有するとともに、円外に突き出した方向矢印として示す、又任意の方向に示すことが出来るようにし、それで交通信号機のライトとして一個で機能を果たすものとなる。
【発明の効果】
【０００５】ドライバーなどがライトを見た場合、その交通制御の内容を瞬時に判断でき、又、太陽光線に反射して誤認することがなくなるばかりでなく、又、ライトの厚さを薄く製作することができ、信号機自体を軽量化でき、多くの設置空間を要せずに自由に設置できる。
【発明を実施するための最良の形態】
【０００６】以下図面を参照して本発明を実施するための一形態を説明すると、ＬＥＤ１には，青素子１７：黄素子１８：赤素子１９の三つの光源（素子）を内蔵させてあり、又電極マイナス側のカソード（Ｋ）の足２１  ：２２  ：２３と電極プラス側のアノード  （Ａ）の足２４を設けた（図１，図２参照）。【０００７】  このように構成されているＬＥＤ１を複数個組み合わせることで一個のライトの表示体（一単位）となし、この表示体それ自体で交通信号機５におけるライト３となるようにしてある、ライト３そのものは、本体の外郭形状が円形となし、ＬＥＤ１を基板上に縦横複数列，複数行となるように配列されることで構成される、又青の方向矢印は、ライト３の円内の一部を共有してライト３の円外に突き出して青光色の方向矢印４が表示されるようにしてある（図６参照）、この青方向矢印におけるＬＥＤは円内部分をＬＥＤ１として円外部分はＬＥＤ１１とした。【０００８】電極のアノード、カソードから説明すると、円内全体はＬＥＤ１で構成される、円内部分はＬＥＤ１のカソード（Ｋ）の足２１，２２，２３とアノード（Ａ）の足２４を基板上に接地した、また、図８，図１２に示すようにカソード（Ｋ）に接続する配線１３，１４，１５を基板裏面に接地した、なお、方向矢印４部分は、ライト円内から円外に連続させて矢印を構成する、また、この方向矢印４における円外部分は青色単光源素子のみで構成されるＬＥＤ１１となしてあり、基板上にカソード（Ｋ）の足２０、アノード（Ａ）の足２５を接地した、又カソード（Ｋ）に接続する配線１２とアノード（Ａ）に接続する配線１６を基板裏面に接地した（図９，図１０参照）、又この配線１６は、ＬＥＤ１とＬＥＤ１１とに共通の配線とした。【０００９】リレータイマの回路は、シーケンス制御の主体となす電磁リレー電磁接触器を有し、その作動が明確にわかるようにし、又電流の逆流防止のためのダイオードをとりつけた、それゆえ青１３：黄１４：赤１５が互いに同時に導通しないこととなる（図１４参照）。【００１０】ＬＥＤの内蔵に青１７：黄１８：赤１９の各素子が入ったＬＥＤを順次連続発光させるには、制御回路（リレータイマ）２の作用によって順に青〜黄〜赤と発光するようにした（図３参照）、又信号機のライトも制御（リレータイマ）２ａの制御作用によって青〜黄〜赤〜方向矢印と順次連続して発光するようにした（図４参照）、方向矢印４部分は任意の方向へ任意の時間に表示点灯できるものとした、又、青：黄：赤：青の方向矢印の切り変わる時間差は，制御回路（リレータイマ）２ａの青ダイヤル６：黄ダイヤル７：赤ダイヤル８：青矢印ダイヤル９で調整できるものとする（図４，図１１参照）。【００１１】  リレータイマの作動時について説明すると、電流がカソード（Ｋ）青１３に作動した時（図１３参照）、交通信号機のライトが青に点灯する（図１４参照）、リレータイマの電流がカソード（Ｋ）黄１４に作動した時（図１５参照）、交通信号機のライトが黄に点灯する（図１６参照）、リレータイマの電流がカソード（Ｋ）赤１５に作動した時（図１７参照）、交通信号機のライトが赤に点灯する（図１８参照）、リレータイマの電流が方向矢印におけるカソード（Ｋ）青１２，１３��作動した時、又同時にカソード赤１５にも作動し時（図１９参照）、矢印部分が青に円内が矢印部分を除いて赤に表示する（図２０参照）、リレータイマの電流が矢印部分の（Ｋ）青と円内部分の（Ｋ）赤に作動する部分を分離して示した場合、矢印部分のカソード（Ｋ）青１２，１３に電流が作動した時（図２１参照）、交通信号機のライトは青の方向矢印を表示する（図２２参照）、またリレータイマの電流が円内部分のカソード（Ｋ）赤１５に作動した時（図２３参照）、円内は矢印部分を除いて赤に点灯する（図２４参照）。【００１２】方向矢印について説明すると、方向矢印が進行方向を指示するように、ライト３本体内外にその単一の進行方向に対応して形成される、又進行方向が直進：左方向：右方向のいずれかの進行方向を指示する場合には、矢印型部分が円の中心軸を基点に内外共に回転されるように構成される（図２５参照）、更に進行方向が直進：左方向を指示する場合には、矢印型部分が円の中心軸を基点に回転されるように構成される（図２６参照）、その構成された後の場合を図２７で示した。
【産業上の利用可能性】
【００１３】このような本発明はその産業上の利用可能性において優れたものであると考えられる。
【図面の簡単な説明】
【００１４】
【図１】一個のＬＥＤの内蔵に青：黄：赤の三光源の素子が入った構造図である。
【図２】一個のＬＥＤの内蔵に青：黄：赤の三光源の素子が入った回路図である。
【図３】制御（リレータイマ）を使ってＬＥＤ１を青−黄−赤の順に連続して発光させる図である。
【図４】交通信号機の一個のライトがリレータイマの作用で青−黄−赤−青方向矢印と順に光色する図である。
【図５】単ライトの中にＬＥＤを配列した図、および、方向矢印が円内の一部分を共有して円外に突き出した図である。
【図６】矢印部分のＬＥＤが円内と円外における配列を示した図である。
【図７】基板裏面の方向矢印部分の配線を表わした図である。
【図８】基板裏面のライト矢印部分における円外部分（青のみのＬＥＤ）と円内部分（三光色素子内蔵のＬＥＤ）のアノードとカソードに接続する配線図である。
【図９】矢印部分のＬＥＤを基板上に接地した円内外の側断面図である。
【図１０】ＬＥＤを基板上に接地しその裏面に配線を接地した斜視図である。
【図１１】ダイヤルを入れたリレータイマと回路（２ａ）の配線とライトにおける係わりを示した図である。
【図１２】全体配線回路図である。
【図１３】制御（リレータイマ）からライト円内のカソード（Ｋ）青１３のＬＥＤへ電流が作動しときの配線図である。
【図１４】信号機のライトが青に光色した図である。
【図１５】制御（リレータイマ）からライト円内のカソード（Ｋ）黄１４のＬＥＤへ電流が作動したときの配線図である。
【図１６】信号機のライトが黄に光色した図である。
【図１７】制御（リレータイマ）からライト円内のカソード（Ｋ）赤１５のＬＥＤへ電流が作動したときの配線図である。
【図１８】信号機のライトが赤に光色した図である。
【図１９】制御（リレータイマ）からライト円内のカソード（Ｋ）赤と青方向矢印部分円内外の（Ｋ）青のＬＥＤへ電流が作動したときの配線図である。
【図２０】信号機のライトの円内が赤になったとき青方向矢印が光色した図である。
【図２１】リレータイマの電流が矢印部分の青と円内部分の赤に作動する部分を分離して示した、その内の矢印部分ではカソード（Ｋ）青１２に円内はカソード（Ｋ）青１３に電流が作動した時の配線図である。
【図２２】交通信号機のライトが方向矢印を表示する。
【図２３】リレータイマの電流が円内部分のカソード（Ｋ）赤１５に作動した時の配線図である。
【図２４】円内は矢印部分を除いて赤に点灯する。
【図２５】左方向を示した青方向矢印が直進と左方向に矢印が移動できることを示した図である。
【図２６】左方向と直進の方向の方向矢印が４５度回転して、直進と右方向に移動できることを示した図である。
【図２７】方向矢印が直進と左方向の矢印を示した図である。
【符号の説明】
【００１５】１    青、黄、赤の三光源の素子が入っているＬＥＤ
２    制御（リレータイマ）
３    ライト
４    方向矢印
５    交通信号機
６    青ダイヤル
７    黄ダイヤル
８    赤ダイヤル
９    青方向矢印ダイヤル
１０  基板
１１  青色単光源素子のみが入ったＬＥＤ
１２  青色単光源素子のみが入ったＬＥＤにおけるカソード青（Ｋ・Ｂ）に接続する配線
１３  三光源素子を内蔵したＬＥＤにおけるカソード青（Ｋ・Ｂ）に接続する配線
１４  三光源素子を内蔵したＬＥＤにおけるカソード黄（Ｋ・Ｙ）に接続する配線
１５  三光源素子を内蔵したＬＥＤにおけるカソード赤（Ｋ・Ｒ）に接続する配線
１６  三光源素子を内蔵したＬＥＤと青色単光源素子のみのＬＥＤとの共通のアノード（Ａ）に接続する配線
１７  青素子
１８  黄素子
１９  赤素子
２０  青色単光源素子のみが入ったＬＥＤにおけるカソード青（Ｋ・Ｂ）の足
２１  三光源素子を内蔵したＬＥＤにおけるカソード青（Ｋ・Ｂ）の足
２２  三光源素子を内蔵したＬＥＤにおけるカソード黄（Ｋ・Ｙ）の足
２３  三光源素子を内蔵したＬＥＤにおけるカソード赤（Ｋ・Ｒ）の足
２４  三光源素子を内蔵したＬＥＤにおけるアノード（Ａ）の足
２５  青色単光源素子のみのＬＥＤにおけるアノード（Ａ）の足
【図１】
0004793880.tif 000002
【図２】
0004793880.tif 000003
【図３】
0004793880.tif 000004
【図４】
0004793880.tif 000005
【図５】
0004793880.tif 000006
【図６】
0004793880.tif 000007
【図７】
0004793880.tif 000008
【図８】
0004793880.tif 000009
【図９】
0004793880.tif 000010
【図１０】
0004793880.tif 000011
【図１１】
0004793880.tif 000012
【図１２】
0004793880.tif 000013
【図１３】
0004793880.tif 000014
【図１４】
0004793880.tif 000015
【図１５】
0004793880.tif 000016
【図１６】
0004793880.tif 000017
【図１７】
0004793880.tif 000018
【図１８】
0004793880.tif 000019
【図１９】
0004793880.tif 000020
【図２０】
0004793880.tif 000021
【図２１】
0004793880.tif 000022
【図２２】
0004793880.tif 000023
【図２３】
0004793880.tif 000024
【図２４】
0004793880.tif 000025
【図２５】
0004793880.tif 000026
【図２６】
0004793880.tif 000027
【図２７】
0004793880.tif 000028